(57)【要約】      （修正有）【課題】籾摺選別機において玄米揚穀機の取出玄米から塵埃を吸引除去するにあたり、玄米が塵埃と一緒に除去されないようにする。【解決手段】籾摺部１と吸引唐箕を有する摺落米風選部２と揺動選別板型の混合米選別部３と混合米選別部の選別玄米を取り出す玄米揚穀機５を備えた籾摺選別機において、玄米揚穀機５の玄米取出部に吸塵部３６を設け、吸塵部３６と摺落米風選部２の吸引唐箕とを吸塵風路３７で接続する。そして、吸塵部３６の吸塵ボックスには流入する吸塵風量を調節する吸塵風量調節手段を設ける。【選択図】図６
2011218263.tif 000002
【特許請求の範囲】
【請求項１】
籾摺部（１）と、吸引唐箕（１３）を有する摺落米風選部（２）と、揺動選別板型の混合米選別部（３）と、混合米選別部（３）の選別玄米を取り出す玄米揚穀機（５）を備えた籾摺選別機において、
前記玄米揚穀機（５）の玄米取出部に吸塵部（３６）を設け、該吸塵部（３６）と前記吸引唐箕（１３）とを吸塵風路（３７）で接続し、前記吸塵部（３６）の吸塵ボックス（３６ａ）には流入する吸塵風量を増減調節する吸塵風量調節手段（３８）を設けたことを特徴とする籾摺選別機。
【請求項２】
籾摺部（１）と、吸引唐箕（１３）を有する摺落米風選部（２）と、揺動選別板型の混合米選別部（３）と、混合米選別部（３）の選別玄米を取り出す玄米揚穀機（５）を備えた籾摺選別機において、
前記玄米揚穀機（５）の玄米取出部に吸塵部（３６）を設け、該吸塵部（３６）と前記吸引唐箕（１３）とを吸塵風路（３７）で接続し、前記吸塵部（３６）の吸塵ボックス（３６ａ）には流入する吸塵風量を増減調節する吸塵風量調節手段（３８）を設け、該吸塵風量調節手段（３８）の吸塵風量調節用の調節レバー（３９）と前記吸引唐箕（１３）の唐箕風量調節手段とを連動連結し、前記吸引唐箕（１３）の風量を増減調節すると、前記吸塵部（３６）の吸塵風量を関連して減増調節することを特徴とする籾摺選別機。
【請求項３】
請求項２の発明において、前記混合米選別部（３）における揺動選別板（１５）の選別玄米を機内循環側あるいは機外取出側に切り換える循環／排出切換弁（５２）を設け、該循環／排出切換弁（５２）と前記吸塵風量調節手段（３８）とを連動連結して、循環／排出切換弁（５２）を機外取出側に切り換えると、吸塵風量調節手段（３８）を吸塵風量を多くするように、また、循環／排出切換弁（５２）を機内循環側に切り換えると、吸塵風量調節手段（３８）を吸塵風量を少なくするように調節することを特徴とする籾摺選別機。
【発明の詳細な説明】
【技術分野】
【０００１】
この発明は、籾摺選別機において玄米揚穀機の取り出し玄米から塵埃を除去する塵埃除去装置に関するものである。
【背景技術】
【０００２】
籾摺部と、吸引唐箕を有する摺落米風選部と、揺動選別板型の混合米選別部と、混合米選別部の選別玄米を取り出す玄米揚穀機を備えた籾摺選別機において、玄米揚穀機の玄米取出部に吸塵部を設けて玄米から塵埃を除去するものは、公知である（特許文献１）。
【先行技術文献】
【特許文献】
【０００３】
【特許文献１】特開２００６−９５４３４号公報
【発明の概要】
【発明が解決しようとする課題】
【０００４】
背景技術のものは、玄米揚穀機の吸塵部と摺落米風選部の吸引唐箕とを吸塵風路により連通し、玄米から塵埃を除去するだけのものである。従って、吸塵部の吸塵風量が吸引唐箕の選別風量の影響を受けて吸塵部の吸塵風量が比例して増減し、また、吸塵風量の増減調節ができないので、塵埃と共に玄米が吸引唐箕から排出されるという不具合が発生することがある。
【０００５】
そこで、本発明は、このような不具合を解消しようとするものである。
【課題を解決するための手段】
【０００６】
前記問題点を解決するために、この発明は次のような技術的手段を講じた。
請求項１の発明は、籾摺部（１）と、吸引唐箕（１３）を有する摺落米風選部（２）と、揺動選別板型の混合米選別部（３）と、混合米選別部（３）の選別玄米を取り出す玄米揚穀機（５）を備えた籾摺選別機において、前記玄米揚穀機（５）の玄米取出部に吸塵部（３６）を設け、該吸塵部（３６）と前記吸引唐箕（１３）とを吸塵風路（３７）で接続し、前記吸塵部（３６）の吸塵ボックス（３６ａ）には流入する吸塵風量を増減調節する吸塵風量調節手段（３８）を設けたことを特徴とする籾摺選別機である。
【０００７】
請求項２の発明は、籾摺部（１）と、吸引唐箕（１３）を有する摺落米風選部（２）と、揺動選別板型の混合米選別部（３）と、混合米選別部（３）の選別玄米を取り出す玄米揚穀機（５）を備えた籾摺選別機において、前記玄米揚穀機（５）の玄米取出部に吸塵部（３６）を設け、該吸塵部（３６）と前記吸引唐箕（１３）とを吸塵風路（３７）で接続し、前記吸塵部（３６）の吸塵ボックス（３６ａ）には流入する吸塵風量を増減調節する吸塵風量調節手段（３８）を設け、該吸塵風量調節手段（３８）の吸塵風量調節用の調節レバー（３９）と前記吸引唐箕（１３）の唐箕風量調節手段とを連動連結し、前記吸引唐箕（１３）の風量を増減調節すると、前記吸塵部（３６）の吸塵風量を関連して減増調節することを特徴とする籾摺選別機である。
【０００８】
請求項３の発明は、請求項２の発明において、前記混合米選別部（３）における揺動選別板（１５）の選別玄米を機内循環側あるいは機外取出側に切り換える循環／排出切換弁（５２）を設け、該循環／排出切換弁（５２）と前記吸塵風量調節手段（３８）とを連動連結して、循環／排出切換弁（５２）を機外取出側に切り換えると、吸塵風量調節手段（３８）を吸塵風量を多くするように、また、循環／排出切換弁（５２）を機内循環側に切り換えると、吸塵風量調節手段（３８）を吸塵風量を少なくするように調節することを特徴とする籾摺選別機である。
【発明の効果】
【０００９】
請求項１の発明によると、吸引唐箕（１３）の選別風量に対して吸塵部（３６）の吸塵風量を独立して弱強に調節することができ、玄米揚穀機（５）の取出玄米の飛散を抑制しながら塵埃を除去することができる。
【００１０】
請求項２の発明によると、吸引唐箕（１３）の選別風量に応じて吸塵部（３６）の吸塵風量を関連的に増減調節することができ、玄米揚穀機（５）の取出玄米の飛散を抑制しながら塵埃を良好に除去することができる。
【００１１】
請求項３の発明によると、請求項２の発明の前記効果に加えて、循環／排出切換弁（５２）を機外取出側から機内循環側に切り換えたときに、玄米揚穀機（５）から少量の玄米が取り出されていても、玄米が吸引唐箕（１３）へ吸引されるのを防止することができる。
【図面の簡単な説明】
【００１２】
【図１】籾摺選別機、粒選別機の切断側面図。
【図２】吸塵部の背面図、操作具の背面図、平面図。
【図３】籾摺選別機の一部省略した側面図。
【図４】混合米選別部における揺動選別板のカバー部の斜視図。
【図５】混合米選別部の側面図、揺動選別板のカバー部の斜視図。
【図６】籾摺選別機の斜視図。
【図７】籾摺選別機上部の背面図、吸塵風路の斜視図。
【発明を実施するための形態】
【００１３】
以下、図面に示すこの発明の実施例について説明する。
まず、図１に基づきこの発明を実施する籾摺選別機の全体構成について説明する。
籾摺選別機は、機体の前側上部に配置した籾摺部１と、籾摺部１の後側に配置した摺落米風選部２と、摺落米風選部２の後側に配置した揺動選別板型の混合米選別部３と、摺落米風選部２の摺落米及び混合米選別部３の選別摺落米を揚穀する混合米揚穀機４と、混合米選別部３の選別玄米を機外に取り出す玄米揚穀機５と、混合米選別部３の選別籾を籾摺部１に揚穀還元する籾揚穀機２７とにより構成されている。
【００１４】
籾摺部１は籾摺ロール型に構成されていて、籾ホッパ６と、一対の籾摺ロール７，７を内装している籾摺室７ａと、籾摺室７ａの下方に設けられている振動型の摺落米移送棚８等により構成されている。籾ホッパ６の籾は籾摺ロール７，７で籾摺されて摺落米移送棚８に落下供給され、振動している摺落米移送棚８により後側に移送され、摺落米風選部２の下部に供給される。
【００１５】
摺落米風選部２は、摺落米風選箱体９と、摺落米風選箱体９内に上下方向に沿うように構成されている摺落米選別風路１０と、摺落米選別風路１０における中途後方屈曲部下方に設けられている粃受樋１１と、摺落米選別風路１０の始端部である下側部に設けられている摺落米受樋１２と、摺落米選別風路１０の終端部である上側部に配設されている吸引唐箕１３と、排塵筒１４とにより構成されている。
【００１６】
しかして、摺落米選別風路１０の下部に供給された摺落米は上方へ流れる吸引選別風により比重選別され、籾・玄米の重い混合米は下部の摺落米受樋１２に落下選別される。また、比較的重い粃は摺落米選別風路１０の中途部の粃受樋１１に落下選別される。また、軽い籾殻は摺落米選別風路１０の終端の吸引唐箕１３に吸引され、排塵筒１４を経て機外へ排出される。
【００１７】
次に、揺動選別型の混合米選別部３について説明する。
多段の揺動選別板１５には、板面に選別用の凹凸が形成されていて、縦方向の一側を高い供給側、他側を低い排出側とし、縦方向に直交する横方向の一方側を高い揺上側、反対側を低い揺下側として、揺動選別板１５の縦横２方向ともに傾斜した構成とし、揺動選別板１５を前後揺動アーム２８，２８、揺動装置（図示省略）により横方向斜め上下に往復揺動される構成である。
【００１８】
揺動選別板１５の上方には混合米タンク２４が配設されていて、摺落米受樋１２に風選された混合米が混合米揚穀機４により揚穀されて混合米タンク２４に供給される。混合米は次いで分配供給樋１６、分配ケース１７を経由して揺動選別板１５に供給される。
【００１９】
揺動選別板１５の揺下側の側壁の排出側部分には、籾排出口を切り欠き構成されていて選別籾が揺下側に取り出され、籾還元流路３１を経て籾揚穀機２７に供給される。
揺動選別板１５に供給された混合米は、粒形の大小，比重の大小，摩擦係数の大小等の関係で、比重の重い小形の玄米は揺上側に偏流分布し、玄米に比較して大形で比重の軽い籾は、揺下側に偏流分布し、その中間部には分離されない籾・玄米の混合米が分布されながら選別される。そして、これらの選別穀粒は、揺動選別板１５の排出側に設けられている玄米仕切板１８及び籾仕切板１９で仕切られて取り出される。
【００２０】
取り出された選別玄米は、玄米取出樋２０，玄米流路２１，玄米揚穀機５を経て機外に取り出される。また、取り出された選別混合米は混合米流路２３を経て摺落米受樋１２に流下し、次いで、混合米揚穀機４で揚穀され、混合米タンク２４，分配供給樋１６，分配ケース１７を経て、揺動選別板１５に再度供給され、再選別される。
【００２１】
また、揺動選別板１５の揺下側に偏流分離された選別籾のうち揺下側の側壁に沿って流下したものは、籾排出口から籾還元流路３１に取り出されて籾取出樋２５に流下する。また、揺下側の側壁よりも揺上側を流下したものは揺動選別板１５の排出側端部から籾仕切板１９により仕切られて、籾取出樋２５に取り出される。このようにして取り出された選別籾は、籾揚穀機２７を経て籾摺部１に揚穀還元され、再度の籾摺がなされる。
【００２２】
なお、摺落米風選部２で粃受樋１１に選別された粃は、籾揚穀機２７に送られ、混合米選別部３の選別籾と共に籾摺部１に揚穀還元される。
次に、図１及び図２に基づき玄米揚穀機５の選別玄米からの塵埃除去構成について説明する。
【００２３】
玄米揚穀機５は例えば昇降機型に構成されていて、昇降ケース５ａ内をバケット付きの昇降ベルトが昇降回動して穀粒を揚穀し、この昇降ケース５ａ上部の穀粒投出口部に吸塵部３６を付設し、取出玄米から塵埃を除去するようにしている。
【００２４】
吸塵部３６は次のように構成している。吸塵ボックス３６ａの内部には、玄米が前後に方向変換しながらジグザグ状に落下する流下通路３６ｂを構成している。この吸塵ボックス３６ａの下部に開口部３６ｃを構成し、開口部３６ｃから流入した吸塵選別風が流下通路３６ｂを流下している玄米に対して、交差するように後側から前側に向けて形成されている塵埃選別風路３６ｄに流れて玄米の付着塵埃を除去する。そして、きれいになった玄米は流下通路３６ｂの下部から玄米流下通路３６ｅを経て機外へ取り出される構成である。
【００２５】
また、塵埃選別風路３６ｄの終端側を中継吸塵風路４１介して吸塵風路３７の始端部に接続し、吸塵風路３７の中途部を揺動選別板１５の上方近傍を通して機体前側に導き、吸塵風路３７の終端側を吸引唐箕１３の吸入部に接続している。
【００２６】
また、図２に示すように、吸塵部３６には吸塵風調節手段３８を設けている。この吸塵風選別手段３８は、吸塵ボックス３６ａの下部後側の前記開口部３６ｃに網を取り付け、この開口部３６ｃの外側に沿ってスライド自在の閉鎖調節板３８ａを設けた構成である。
【００２７】
しかして、閉鎖調節板３８ａを上下方向に調節し、塵埃選別風路３６ｄの開口部３６ｃに流入する空気を増減調節し、塵埃選別風量を減増調節する構成である。
また、機体の適所に仕上吸塵調節レバー３９を設け、該仕上吸塵調節レバー３９と閉鎖調節板３８ａとを押し引きワイヤ４０で連結し、仕上吸塵調節レバー３９を操作ガイド溝４３に沿って操作し調節するように構成している。
【００２８】
従来装置は、吸塵部３６と吸引唐箕１３とを吸塵風路３７により連通するだけの構成である。従って、吸引唐箕１３の選別風の増加、減少調節の影響を受けて、吸塵選別風路３６ｄから吸塵風路３７に吸引される吸塵風量が比例的に増減し、また、吸塵選別風路３６ｄの吸塵風量の増減調節ができない構成であり、吸塵選別風により塵埃と共に玄米が吸引唐箕１３に排出されるという不具合が発生することがあった。
【００２９】
しかし、前記構成によると、吸引唐箕１３の選別風の強弱調節に対して吸塵部３６の吸塵風量を独立して弱強に調節することができ、玄米の飛散を抑制しながら塵埃を除去することができる。
【００３０】
また、吸引唐箕１３の吸入部には選別風調節板４２を設け、選別風調節板４２を押し引きワイヤ（図示省略）を介して前記仕上吸塵調節レバー３９に連結している。
しかして、仕上吸塵調節レバー３９の操作により、吸引唐箕１３の選別風量と、吸塵風路３７の吸塵風量とを関連的に調節することができる。即ち、吸引唐箕１３の選別風量を強く調節すると、開口部３６ｃからの流入空気量を多く調節し、吸塵風路３７の吸塵風量を弱く調節することができる。また、吸引唐箕１３の選別風量を弱く調節すると、開口部３６ｃからの流入空気量を少なく調節し、吸塵風路３７の吸塵風量を強く調節することができる。
【００３１】
前記構成によると、吸塵部３６により玄米の吸引唐箕１３側への飛散を抑制しながら塵埃を良好に除去することができる。
また、図１に示すように、玄米揚穀機５の後方には公知の粒選別機４５を配設している。玄米揚穀機５からの玄米を粒選別機４５の玄米ホッパ４６に受入れて粒選別し、精粒玄米を上部の精粒玄米取出部４７から取り出し、選別した糠や穀粒屑を下部の糠取出部４８から取り出す。この糠取出部４８の流下口に糠吸塵ホース４９の始端側を接続し、糠吸塵ホース４９の終端側を前記吸塵風路３７の始端側に接続している。
【００３２】
また、吸塵風路３７の始端側の中継吸塵風路４１の接続部、及び、吸塵風路３７の始端側の糠吸塵ホース４９の接続部には、吸塵切換弁５０を設けている。吸塵切換レバー５１の操作により、吸塵切換弁５０を二つの接続部を択一的に開閉するように構成している。
【００３３】
また、混合米選別部３の選別穀粒取出部には、図１に示すように、循環／排出切換弁５２を設けている。循環／排出切換レバー５３の操作により、循環／排出切換弁５２を機内循環側に切り換えると、揺動選別板１５の選別玄米は機内循環し、また、機外取出側に切り換えると、揺動選別板１５の選別玄米は機外に取り出される。
【００３４】
そして、吸塵切換レバー５１と循環／排出切換レバー５２を連動ロッド５４により連動連結している。しかして、循環／排出切換レバー５３により循環／排出切換弁５２を機外取出側に切り換えると、吸塵切換弁５０により糠吸塵ホース４９側を閉鎖し中継吸塵風路４１側を開口する。
【００３５】
また、循環／排出切換レバー５３により循環／排出切換弁５２を機内循環側に切り換えると、吸塵切換弁５０により糠吸塵ホース４９側を開口し、中継吸塵風路４１側を閉鎖することができる。
【００３６】
前記構成によると、操作の簡単化を図り、玄米揚穀機５から玄米取り出し時には玄米から塵埃を除去し、選別玄米の機内循環時には粒選別機４５から糠を除去し、籾摺作業能率を向上させ、粒選別機４５の糠除去性能を高めることができる。また、吸塵風路３７を共用にすることにより、コストの低減を図ることができる。また、循環切換時に玄米揚穀機５を揚穀される少量の玄米を吸塵部３６で吸引することを防止することができる。
【００３７】
また、糠吸塵ホース４９のパイプ径を中継吸塵風路４１のパイプ径よりも小径に構成し、糠吸塵ホッパ４９の風速を速くするようにすると、粒選別機４５の糠の吸引除去性能を高めることができる。
【００３８】
また、籾摺部１の籾供給調節弁５６の供給量増減調節に関連して、吸塵風調節手段３８を弱強に調節するようにしてもよい。
次に、図３について説明する。
【００３９】
混合米選別部３の混合米タンク２４を混合米溜り量の増減により上下動するように構成し、籾摺部１の籾供給調節弁５６と混合米タンク２４とを連動装置５７を介して連動連結し、混合米タンク２４の混合米量の増減に関連して籾供給調節弁５６を減増調節するように構成する。
【００４０】
また、吸塵風路３７の中途部には風路調節弁５８を設け、風路調節弁５８と連動装置５７とを風路調節ロッド５９を介して連結する。なお、６６は吸塵ブロワである。
前記構成によると、混合米タンク２４の混合米溜り量の増減に関連して籾摺部１の籾摺量が減増調節されると、風路調節弁５８を弱強に調節することができる。従って、仕上玄米からの玄米の飛散を抑制しながら塵埃を除去することができる。
【００４１】
すなわち、籾供給調節弁５６の開度が大きくなると、籾摺部１の籾摺量が増えると仕上玄米量も増加するので、風路調節弁５８の開度も大きくして仕上玄米からの塵埃の吸塵能力を向上させる。
【００４２】
次に、図４及び図５について説明する。
混合米選別部３の揺動選別板１５の上方を揺動上カバー６１で被覆し、前記吸塵風路３７の中途部を揺動上カバー６１の奥側端部側方で且つ揺動選別板１５の上方を通して吸引唐箕１３の吸入部に連通する。そして、吸塵風路３７の揺動選別板１５の上方に位置する部分に極細のスリット６２，…を構成し、揺動選別板１５上の空気を吸引できるようにしている。
【００４３】
また、揺動上カバー６１の手前側中央部を開閉カバー６１ａに構成している。また、この開閉カバー６１ａの奥側部下面に選別ライト６３を取り付けている。この開閉カバー６１ａの奥側部を軸６１ｂ回りに開閉自在に軸支し、開閉カバー６１ａの奥側中央部に凹部６１ｃを構成し、凹部６１ｃの奥側底部を開口開放している。
【００４４】
前記構成によると、揺動選別板１５上の塵埃をスリット６２，…から吸塵風路３７に吸引し、機外へ排出することができる。また、選別ライト６３への塵埃の付着を抑制し、揺動選別板１５上を明るくすることできる。また、開閉カバー６１ａを開けて揺動選別板１５上の被選別穀粒を取り出し、閉鎖状態の開閉カバー６１ａの凹部６１ｃに落下すると、選別穀粒が拡がり選別ライト６３に照らされながら選別状態を確認することができる。また、開閉カバー６１ａを上方へ回動すると、凹部６１ｃの穀粒を容易に揺動選別板１５上に戻すことができる。
【００４５】
次に、図６について説明する。
機体の前側上部に籾摺部１を配置し、籾摺部１の下方に摺落米風選部２を配置し、摺落米風選部２の後側に揺動選別板型の混合米選別部３を配置し、摺落米風選部２の後部一側に混合米揚穀機（図示省略）を配置し、混合米選別部３の後部一側に玄米揚穀機５を配置し、籾摺選別機を構成している。
【００４６】
玄米揚穀機５の玄米投げ口に前記吸塵部３６を設け、該吸塵部３６と、籾摺部１の籾ホッパ６内に設けているサイクロン６５との間を吸塵風路３７で接続し、吸塵風路３７の中途部に吸塵ブロワ６６を設け、仕上玄米の塵埃を除去するように構成している。
【００４７】
また、混合米選別部３の籾還元流路６７、及び、摺落米風選部２の二番還元流路６８を、吸塵風路３７における吸塵ブロワ６６の下手側部位に連通し、これらの穀粒を風速を上げながらサイクロン６５に送るように構成しているサイクロン６５で分離された穀粒及び塵埃は籾摺部１に還元され、吸塵風は排風ファンで排出される。
【００４８】
前記構成によると、仕上玄米の吸塵用の吸塵風路３７を経由して混合米選別部３の選別籾及び摺落米風選部２の二番物を籾摺部１に還元することができ、還元スロワを省略し、メンテナンスを容易にしながら、選別玄米の塵埃を除去することができる。
【００４９】
次に、図７について説明する。
吸塵風路３７を前側吸塵風路３７ａ及び後側吸塵風路３７ｂに分割構成し、後側吸塵風路３７ｂを前側吸塵風路３７ａ及び吸塵ブロワ６６から分離できるように着脱可能に構成している。しかして、後側吸塵風路３７ｂを取り外すと、吸塵風路３７の清掃作業を容易に行なうことができる。
【符号の説明】
【００５０】
１      籾摺部
２      摺落米風選部
３      混合米選別部
４      混合米揚穀機
５      玄米揚穀機
６      籾ホッパ
７      籾摺ロール
１５      揺動選別板
１３      吸引唐箕
３６      吸塵部
３６ａ    吸塵ボックス
３７      吸塵風路
３８      吸塵風量調節手段
３９      調節レバー（仕上吸塵調節レバー）
５２      循環／排出切換弁
【図１】
2011218263.tif 000003
【図２】
2011218263.tif 000004
【図３】
2011218263.tif 000005
【図４】
2011218263.tif 000006
【図５】
2011218263.tif 000007
【図６】
2011218263.tif 000008
【図７】
2011218263.tif 000009